(57)【要約】【課題】入力電源電圧をインダクタを介して昇圧する昇圧回路を用いた電源回路において、昇圧回路が作動していなくてもＰｏｗｅｒＧｏｏｄ信号が生成される電源回路を提供する。【解決手段】ＰｏｗｅｒＧｏｏｄ信号生成回路９は、電源プラグが挿入されて昇圧回路５が昇圧動作を開始してない時に大きな時定数を持つ抵抗９４とコンデンサ９５からなる時定数回路によってＰｏｗｅｒＧｏｏｄ信号を生成する。また、電源プラグが抜かれる等停電した時には、一定の電圧まで低下した時にツェナーダイオード９１がオフすることによってトランジスタ９３がオンし、ＰｏｗｅｒＧｏｏｄ信号を立ち下げる。【選択図】  図２
2007068351.tif 000002
【特許請求の範囲】
【請求項１】
所定の電圧範囲から選択された電圧の入力電源電圧をインダクタに入力し、スイッチングして前記選択された電圧の大きさに係わらず入力電源電圧を一定電圧に昇圧し、出力電圧をトランスの一次側に入力する昇圧回路と、
前記昇圧回路の昇圧電圧により駆動されるランプ回路と、
前記トランスの二次側出力電圧を一方の極性に整流し、これをトランスの一次側にフィードバックすることにより一定電圧に制御するとともに、この電圧を制御回路に電源電圧として供給する電源電圧供給回路と、
前記トランスの二次側出力に基づいて、制御回路に対して入力する電源電圧が動作保証電圧であることを示すパワーグッド信号を生成するパワーグッド信号生成回路と、を備えたプロジェクター用の電源回路において、
前記昇圧回路は、昇圧動作を行うための昇圧動作信号を前記制御回路から受けて昇圧動作を行い、
前記パワーグッド信号生成回路は、前記電源電圧供給回路の出力電圧の立ち上がりから所定の時定数によりパワーグッド信号をオンする時定数回路と、前記トランスの二次側出力電圧を他方の極性に整流し、この電圧の大きさに基づいて前記時定数回路を短絡して前記パワーグッド信号をオフするパワーグッド信号オフ回路とを備え、
前記パワーグッド信号オフ回路は、入力電源電圧が停電したときから前記他方の極性の電圧が低下してゼロになるまでの途中の電圧で前記時定数回路を短絡する信号を生成する時定数回路短絡信号生成回路を備え、
前記パワーグッド信号オフ回路は、前記時定数回路のコンデンサに並列接続されるスイッチ素子を含み、該スイッチ素子の制御端子に前記時定数回路短絡信号生成回路が接続され、該時定数回路短絡信号生成回路からの信号により前記時定数回路のコンデンサが短絡されるようにしたことを特徴とする電源回路。
【請求項２】
入力電源電圧をインダクタに入力し、スイッチングして入力電源電圧を一定電圧に昇圧し、出力電圧をトランスの一次側に入力する昇圧回路と、
前記昇圧回路の昇圧電圧により駆動される負荷回路と、
前記トランスの二次側出力電圧を一方の極性に整流し、これをトランスの一次側にフィードバックすることにより一定電圧に制御するとともに、この電圧を制御回路に電源電圧として供給する電源電圧供給回路と、
前記トランスの二次側出力に基づいて、制御回路に対して入力する電源電圧が動作保証電圧であることを示すパワーグッド信号を生成するパワーグッド信号生成回路と、を備えた電源回路において、
前記昇圧回路は、昇圧動作を行うための昇圧動作信号を前記制御回路から受けて昇圧動作を行い、
前記パワーグッド信号生成回路は、前記電源電圧供給回路の出力電圧の立ち上がりから所定の時定数によりパワーグッド信号をオンする時定数回路と、前記トランスの二次側出力電圧を他方の極性に整流し、この電圧の大きさに基づいて前記時定数回路を短絡して前記パワーグッド信号をオフするパワーグッド信号オフ回路とを備え、
前記パワーグッド信号オフ回路は、入力電源電圧が停電したときから前記他方の極性の電圧が低下してゼロになるまでの途中の電圧で前記時定数回路を短絡する信号を生成する時定数回路短絡信号生成回路を備えることを特徴とする、電源回路。
【請求項３】
前記入力電源電圧は、所定の電圧から選択された電圧であり、
前記昇圧回路は、前記選択された電圧に係わらず一定電圧に昇圧し、
前記時定数回路短絡信号生成回路は、前記選択された電圧に係わらず入力電源電圧が停電したときから前記他方の極性の電圧が低下してゼロになるまでの途中の電圧で前記時定数回路を短絡する信号を生成する、請求項２記載の電源回路。
【請求項４】
前記パワーグッド信号オフ回路は、前記時定数回路のコンデンサに並列接続されるスイッチ素子を含み、該スイッチ素子の制御端子に前記時定数回路短絡信号生成回路が接続され、該時定数回路短絡信号生成回路からの信号により前記時定数回路のコンデンサが短絡されるようにした請求項２又は３記載の電源回路。
【請求項５】
前記負荷回路は、プロジェクター用のランプである請求項２〜４のいずれかに記載の電源回路。
【発明の詳細な説明】
【技術分野】
【０００１】
この発明は、商用交流電源を整流して昇圧し、この昇圧した直流電圧をスイッチングしてトランスの一次側に入力し、トランスの二次側出力電圧を整流して、制御回路や負荷回路に供給する電源回路に関する。
【背景技術】
【０００２】
トランスの一次側に昇圧回路を設ける電源回路としては、たとえばプロジェクターに設けられる電源回路がある。プロジェクターの負荷回路としては、ランプ駆動回路があるために、通常は直流の高電圧が必要である（たとえば、ＤＣ３８０Ｖ）。
【０００３】
そこで、従来もっぱら使用されているプロジェクター用の電源回路では、商用交流電源を整流した後昇圧することによってランプ用の直流高電圧を生成し、さらに、この電圧をトランスの一次側に入力してスイッチングすることによって、二次側で所望の直流電圧を形成するようにしている。また、世界各国に供給されるプロジェクター用電源回路では、国による商用交流電圧の相違を吸収するために、入力電源電圧の定格をＡＣ１００Ｖ〜２４０Ｖの範囲に設定しているものが多く、この範囲の入力電源電圧の中のどの電圧であっても昇圧回路が作動し、いずれの場合も昇圧回路の出力電圧が一定の電圧（ＤＣ３８０Ｖ等）に制御されるようになっている。さらに、電源オンオフ用の電源投入スイッチ（ハードスイッチ）が設けられており、この電源オンオフ用の電源投入スイッチを切り換えることによって、装置への電源入力と昇圧回路のオンオフを制御するようにしている。したがって、電源投入スイッチをオンすると、商用電源電圧が装置本体に入力し、且つ同時に昇圧回路が作動して、トランスの一次側に昇圧された所定の直流高電圧が入力されることになる。
【０００４】
一方、プロジェクターを含む最近の電子機器に使用される制御用のＩＣ（制御回路）には、ＰｏｗｅｒＧｏｏｄ信号の入力端子が設けられている。このＰｏｗｅｒＧｏｏｄ信号は、制御回路に対して入力する電源電圧が動作保証電圧であることを示す信号であり、制御回路は、このＰｏｗｅｒＧｏｏｄ信号を受けると全体をリセットし、ソフトウェア上やイニシャライズ処理を行って動作を開始することになる。一般に、このＰｏｗｅｒＧｏｏｄ信号は電源回路において生成され、５Ｖ、２．５Ｖ、１２Ｖ等のの各種電源電圧が全て各回路を動作させるのに十分な保証電圧に達したタイミングで形成するようにしている。
【０００５】
上記のプロジェクター用の電源回路では、従来、このＰｏｗｅｒＧｏｏｄ信号を、昇圧回路が作動して所定の直流高電圧（たとえば、ＤＣ３８０Ｖ）が形成された時に形成していた。昇圧回路が正常に作動すると、制御回路に供給するための電圧（トランスの二次側出力電圧）は、急速に立ち上がって保証電圧に達するからである。したがって、従来のプロジェクター用の電源回路では、電源投入スイッチがオンされると、短時間でＰｏｗｅｒＧｏｏｄ信号が形成されていた。また、電源スイッチがオフされると、昇圧回路の動作が直ちに停止するために、これを検出してＰｏｗｅｒＧｏｏｄ信号も直ちにオフするようにしていた。制御回路では、ＰｏｗｅｒＧｏｏｄ信号がオンすると制御回路のリセットが行われ、また、ＰｏｗｅｒＧｏｏｄ信号がオフすると、商用電源を整流する整流回路に設けられている大容量のコンデンサの充電電荷を利用して、ソフトウェア上及びハードウェア上所定の終了を行うための必要な処理を行っていた。
【０００６】
なお、プロジェクターの電源回路としては、従来、制御電圧が安定した後にランプを点灯させるための時定数回路を設け、この回路によってランプを始動する装置が示されている（たとえば、特許文献１）。
【特許文献１】特開平８−３６２２１号公報
【発明の開示】
【発明が解決しようとする課題】
【０００７】
上記のように、従来の電源回路（特に、プロジェクター用の電源回路）では、電源投入スイッチをオンすると昇圧回路が作動し、このスイッチをオフすると昇圧回路もオフするように構成されているが、コストダウンと、操作性の改善のためにこの電源投入スイッチを省略し、制御回路にソフトＯＮスイッチ、ソフトＯＦＦスイッチを接続し、このソフトＯＮスイッチ、ソフトＯＦＦスイッチの操作で負荷回路の駆動を制御するものが提案されている。このソフトスイッチを用いる場合は、電源コンセントに電源プラグを挿入した状態でソフトＯＮスイッチをオンすると昇圧回路が作動し、これにより負荷回路に所定の電源電圧が供給される。
【０００８】
しかし、昇圧回路として、インダクタに流れる電流をスイッチングすることによって昇圧する昇圧回路が採用されているために、昇圧回路が作動しない時には、入力電源電圧を整流した直流電圧がそのままトランスの一次側に供給されるようになる。このため、従来のように、昇圧回路の出力電圧（昇圧電圧）が一定の直流高電圧（たとえば、ＤＣ３８０Ｖ）になるのを検出してＰｏｗｅｒＧｏｏｄ信号を生成するように構成すると、電源プラグ挿入後にＰｏｗｅｒＧｏｏｄ信号が生成されないことになるため、制御回路は動作せず、したがって、ソフトＯＮスイッチをオンにしても昇圧回路が作動しないという不都合があった。
【０００９】
この発明の目的は、入力電源電圧をインダクタを介して昇圧する昇圧回路を用いた電源回路において、昇圧回路が作動していなくてもＰｏｗｅｒＧｏｏｄ信号が生成される電源回路を提供することにある。
【課題を解決するための手段】
【００１０】
上記課題を解決するために、この発明は次のように構成される。
【００１１】
（１）この発明の電源回路では、入力電源電圧に直列にインダクタを接続したスイッチング昇圧回路が用いられる。具体的には、インダクタの出力側にスイッチング素子を接続し、このスイッチング素子をオンしている時にインダクタにエネルギを蓄積し、スイッチング素子をオフすることによってこのエネルギを負荷側のコンデンサに放出する。この時のスイッチング素子のオンオフ時間を制御することによって、昇圧動作が可能となる。このようなスイッチング昇圧回路を用いることによって、昇圧回路がオフしている時には、入力電源電圧はインダクタを介してそのまま出力される。なお、昇圧回路の入力側には商用交流電源をダイオードブリッジ等によって整流した直流電圧が入力される。
【００１２】
負荷回路には、上記昇圧回路によって昇圧された電圧が供給される。
【００１３】
また、上記昇圧回路で昇圧された電圧はトランスの一次側に入力し、これをスイッチングすることによって、トランスの二次側出力を得る。本発明の電源電圧供給回路では、トランスの二次側出力電圧を一方の極性に整流し、これをトランスの一次側にフィードバックすることによって一定電圧に制御する。二次側の出力電圧としては、たとえば５Ｖ、１２Ｖ、２．５Ｖ等である。これらの電圧は制御回路に電源電圧として供給される。
【００１４】
また、トランスの二次側出力に基づいて、制御回路に対して入力する電源電圧が動作保証電圧であることを示すＰｏｗｅｒＧｏｏｄ信号がＰｏｗｅｒＧｏｏｄ信号を生成回路において生成される。
【００１５】
上記ＰｏｗｅｒＧｏｏｄ信号生成回路は、前記電源電圧供給回路の出力電圧の立ち上がり、すなわち、１２Ｖ、５Ｖ、２．５Ｖ等の出力電圧の立ち上がりから所定の時定数によりＰｏｗｅｒＧｏｏｄ信号をオンする時定数回路を含んでいる。たとえば、２．５Ｖの出力電圧回路とグラウンド間に接続される抵抗とコンデンサで構成されるＣＲ回路によってこの時定数回路が構成される。さらに、このＰｏｗｅｒＧｏｏｄ信号生成回路は、トランスの二次側出力電圧を他方の極性に整流し、この電圧の大きさに基づいて前記時定数回路を短絡してＰｏｗｅｒＧｏｏｄ信号をオフするＰｏｗｅｒＧｏｏｄ信号オフ回路を備えている。このＰｏｗｅｒＧｏｏｄ信号オフ回路は、たとえば、ツェナーダイオードを含んでいる。このＰｏｗｅｒＧｏｏｄ信号オフ回路は、入力電源電圧が停電した時から、すなわち、操作者が電源プラグをコンセントから引き抜いた時や、停電した時等、昇圧回路の入力側に接続されている整流回路の入力電圧がなくなった時から、前記他方の極性の電圧が低下して０になるまでの途中の電圧で前記ＣＲ回路等の時定数回路を短絡する信号を生成する時定数回路短絡信号生成回路を備えている。具体的には、この時定数回路短絡信号生成回路は、たとえば、ツェナーダイオードで構成される。
【００１６】
また、前記時定数回路を短絡するためには、たとえば時定数回路のコンデンサに並列に接続されるスイッチ素子（たとえば、トランジスタ素子）が用いられる。
【発明の効果】
【００１７】
この発明によれば、制御回路に接続されるソフトＯＮスイッチによって負荷回路（たとえば、プロジェクターではランプ回路）を駆動する装置において、電源プラグをコンセントに挿入した時に、確実にＰｏｗｅｒＧｏｏｄ信号が生成されることになるため、このソフトＯＮスイッチを操作することによって昇圧回路を確実に作動させることができる。
【発明を実施するための最良の形態】
【００１８】
図１は、この発明の実施形態である電源回路を含むプロジェクターの概略の構成図である。
【００１９】
商用交流電源１は、ＡＣ１００Ｖ〜ＡＣ２４０Ｖの範囲から選ばれた電圧である。たとえば、日本では商用交流電源１はＡＣ１００Ｖである。この商用交流電源１の電源コンセント２に対し電源プラグが挿入されると、商用交流電源１がダイオードブリッジからなる整流回路３に入力される。整流回路３の出力側には、大容量のコンデンサ４が接続され、さらに、昇圧回路５が接続されている。昇圧回路５の出力側には、ランプ回路６、及びトランス７が接続され、昇圧された電圧がランプ回路６に供給されると同時にトランス７の一次側に入力される。トランス７の二次側は、＋極に整流する整流ダイオードを含む電源電圧供給回路８、及びＰｏｗｅｒＧｏｏｄ信号生成回路に接続される。電源電圧供給回路８で整流された電圧は、電源電圧として制御回路１０に供給される。また、ＰｏｗｅｒＧｏｏｄ信号生成回路９で生成されたＰｏｗｅｒＧｏｏｄ信号は制御回路１０に出力される。
【００２０】
前記制御回路１０には、ソフトＯＮスイッチ１１ａ、ソフトＯＦＦスイッチ１１ｂ、ファン回路１２及びその他の回路１３等が接続されている。
【００２１】
前記昇圧回路５は、整流回路３で整流された入力電源電圧が供給されるインダクタ５０、このインダクタ５０の出力側に接続されるスイッチング素子５１及び整流ダイオード５２、整流ダイオード５２の出力側に接続される平滑コンデンサ５３、及び、スイッチング素子５１を駆動するスイッチング駆動回路５４を含んでいる。
【００２２】
前記ランプ回路６は、ランプ駆動回路６０とランプ６１とで構成され、ランプ駆動回路６０は、昇圧回路５が昇圧した電圧によって駆動される。
【００２３】
前記電源電圧供給回路８は、トランス７の二次側出力電圧を＋極に整流するダイオード８０、その出力側に接続される平滑コンデンサ８１、ダイオード８０で整流した電圧をトランス７の一次側にフィードバックするフィードバック回路、トランス７の一次側入力電圧をスイッチングするスイッチング素子８２、このスイッチング素子８２を、前記フィードバック信号に基づいてスイッチング駆動するスイッチング駆動回路８３を備えている。
【００２４】
上記の構成で、商用交流電源１の電源コンセント２に対して、装置の電源プラグが挿入されると、商用交流電源は、ダイオードブリッジからなる整流回路３で整流され、昇圧回路５に入力される。昇圧回路５は、制御回路１０から昇圧動作信号Ｓが入力されない限り動作しないため、この整流回路３で整流された電圧は、昇圧回路５のインダクタ５０を通過して、昇圧されることなくそのままランプ回路６及びトランス７の一次側に入力される。この時、昇圧回路５は昇圧動作をしてないために、ランプ回路６は作動することはない。一方、トランス７の二次側出力電圧は電源電圧供給回路８を介してスイッチング駆動回路８３にフィードバックされ、スイッチングトランジスタ８２は、トランス７の二次側出力電圧が一定電圧になるようにスイッチングする。このため、昇圧回路５が昇圧動作をしていなくても、電源投入後一定時間経過すると、電源電圧供給回路８からは制御回路１０に対して所定の電圧が電源電圧として供給される。
【００２５】
一方、ＰｏｗｅｒＧｏｏｄ信号生成回路９は、後述のように、昇圧回路５が作動していなくてもＰｏｗｅｒＧｏｏｄ信号を生成して制御回路１０に供給する。このため、このＰｏｗｅｒＧｏｏｄ信号が制御回路１０に供給されると、制御回路１０は、動作可能状態となり、その後にソフトＯＮスイッチ１１ａがオンすると、昇圧回路５のスイッチング駆動回路５４に対して昇圧動作信号Ｓを出力する。これにより、ランプ回路６の動作が可能となる。
【００２６】
装置の動作中に、ソフトＯＦＦスイッチ１１ｂが操作されると、制御回路１０から昇圧回路５に対して供給されている昇圧動作信号Ｓが立ち下がる。これにより、昇圧回路５は昇圧動作を停止して元の待機状態に戻る。そして、ソフトＯＮ信号１１ａが再び操作されると、待機状態から動作信号に遷移して、ランプ回路６が動作する。
【００２７】
後述のように、ＰｏｗｅｒＧｏｏｄ信号生成回路９は、電源コンセント２に電源プラグが挿入されたときに、昇圧回路５が昇圧動作をしていなくてもＰｏｗｅｒＧｏｏｄ信号を生成し、これを制御回路１０に供給するから、その後にソフトＯＮスイッチ１１ａが操作されると、制御回路１０は昇圧動作信号Ｓを立ち上げて昇圧回路５を動作状態とすることができる。
【００２８】
また、後述のように、ＰｏｗｅｒＧｏｏｄ信号生成回路９は、電源コンセント２から電源プラグを引き抜いたりするなど、停電状態となった場合には、直ちに、制御回路１０に対して供給しているＰｏｗｅｒＧｏｏｄ信号をオフする。この時、制御回路１０は、整流回路３の出力側に接続されている大容量の電解コンデンサ４に充電されている電荷等によりハードウェア上及びソフトウェア上必要な終了処理を行う。
【００２９】
以上より、ＰｏｗｅｒＧｏｏｄ信号生成回路９は、電源プラグが挿入された時に昇圧動作が行われなくてもＰｏｗｅｒＧｏｏｄ信号を生成して制御回路１０に供給し、且つ、停電状態になった時には直ちにＰｏｗｅｒＧｏｏｄ信号をオフする機能を持っている。
【００３０】
図２は、ＰｏｗｅｒＧｏｏｄ信号生成回路９を含む電源回路の要部回路図を示している。
【００３１】
トランス７の二次側出力端子は、３つあり、それぞれ、１２Ｖ、５Ｖ、２．５Ｖ用となっている。各出力電圧は、ダイオード８０（８０ａ、８０ｂ、８０ｃ）、平滑コンデンサ８１（８１ａ、８１ｂ、８１ｃ）を介して整流平滑され、さらにインダクタと平滑コンデンサを介して出力される。また、１２Ｖの出力電圧は、フィードバック部８４を介してスイッチング駆動回路８３にフィードバックされ、１２Ｖの直流出力電圧が安定した電圧となるようにスイッチングトランジスタ８２のオンオフが制御される。なお、出力電圧１２Ｖが安定すると、５Ｖ、２．５Ｖも安定するため、本実施形態では、１２Ｖの出力電圧のみフィードバックしている。
【００３２】
ＰｏｗｅｒＧｏｏｄ信号生成回路９は、トランス７の２．５Ｖ生成用の二次側出力電圧Ｐを利用して行う。トランス７の出力電圧Ｐはダイオード８０ｃによって＋極に整流されると同時に、ＰｏｗｅｒＧｏｏｄ信号生成回路９のダイオード９０によって、−極に整流され、この−極に整流された電圧がツェナーダイオード９１に供給される。ツェナーダイオード９１のカソード端子は抵抗９２を介して２．５Ｖ出力回路に接続されており、且つ、スイッチ素子であるトランジスタ９３のベースに接続されている。トランジスタ９３のコレクタ端子はＰｏｗｅｒＧｏｏｄ信号出力端子となっており、このコレクタ端子と２．５Ｖの出力回路間には、抵抗９４が接続され、また、コレクタ端子とグラウンド間にはコンデンサ９５が接続されている。この抵抗９４とコンデンサ９５とでこの発明に係る時定数回路を構成している。また、トランジスタ９３は、この発明に係るスイッチ素子を構成している。
【００３３】
次に、上記ＰｏｗｅｒＧｏｏｄ信号生成回路９の動作について説明する。
【００３４】
電源コンセント２に対して装置の電源プラグが挿入されると、整流回路３で整流された直流電圧がほぼそのままトランス７の一次側に入力され、この電圧がスイッチングトランジスタ８２でスイッチングされ、ダイオード８０の出力電圧が、１２Ｖ、５Ｖ、２．５Ｖになるように制御される。しかし、この時のトランス７の出力電圧は、一次側巻線と二次側巻線の巻数比によって決まるために、Ｐ点（２.５Ｖの出力巻線端子）の電圧は昇圧回路５が動作している時に比べて相対的に低い電圧となっている。この電圧のマイナス成分は、ダイオード９０を介してツェナーダイオード９１のアノード端子に出力される。この時、ツェナーダイオード９１はオンする。その結果、トランジスタ９３はオフ状態となる。すると、抵抗９４とコンデンサ９５からなる時定数回路が動作し初めその時定数により一定時間となった時にＰｏｗｅｒＧｏｏｄ信号が立ち上がる。
【００３５】
本実施形態では、時定数回路を構成する抵抗９４及びコンデンサ９５の値は時定数が十分に大きくなるような値に設定されている。これにより、１２Ｖ、５Ｖ、２．５Ｖが制御回路１０の動作を保証する十分な電圧になった時にＰｏｗｅｒＧｏｏｄ信号が立ち上がることになる。
【００３６】
ＰｏｗｅｒＧｏｏｄ信号が立ち上がると制御回路１０が動作可能状態となる。この後、ソフトＯＮスイッチ１１ａが操作されると、昇圧動作信号Ｓが立ち上がり、昇圧回路５の動作が開始される。昇圧回路５が昇圧動作を開始すると、ランプ回路６が動作してランプ６１が点灯する。
【００３７】
また、昇圧回路５が動作すると、トランス７のＰ点の−側の出力電圧は急激に大きくなる。この電圧はダイオード９０を介してツェナーダイオード９１のアノード端子に導かれる。ツェナーダイオード９１は、この時もオン状態を維持し、トランジスタ９３のオフ状態を保持する。したがって、ＰｏｗｅｒＧｏｏｄ信号のオン状態は保持される。
【００３８】
昇圧回路５が昇圧動作をしている状態で、ソフトＯＦＦスイッチ１１ｂが操作されると、昇圧動作信号Ｓが立ち下がる。これにより、昇圧回路５の昇圧動作は停止する。すると、トランス７の二次側のＰ点の電圧は低くなるが、この時も、ツェナーダイオード９１はオン状態にあるためにＰｏｗｅｒＧｏｏｄ信号はオン状態を維持する。
【００３９】
次に、コンセントを引き抜く等停電状態になった時はＰ点の電圧は低下し始める。この時、ある電圧まで低下すると、ツェナーダイオード９１がオフし、これによりトランジスタ９３がオンして時定数回路のコンデンサ９５を短絡状態とする。このタイミングで、ＰｏｗｅｒＧｏｏｄ信号が立ち下がる（オフする）。すると、制御回路１０は、電源がオフされたことを知るから、この時、整流回路４の出力側に接続されている大容量の平滑コンデンサ４等、電源側に接続されている平滑コンデンサ（電源回路には一般的に接続されている）の充電電荷によって、ハードウェア上及びソフトウェア上必要な終了処理を行う。
【００４０】
以上の動作が行われるよう、ツェナーダイオード９１のツェナー電圧や、このツェナーダイオード９１と２．５Ｖ出力回路間に接続される抵抗９２の値等の設定が行われる。
【００４１】
本実施形態では、入力電源電圧がＡＣ１００Ｖ〜ＡＣ２４０Ｖの範囲で動作を可能とするものである。そこで、この範囲のどの入力電源電圧であっても、ＰｏｗｅｒＧｏｏｄ回路９が上記のように正常に動作することが必要である。
【００４２】
図３は、図２のＱ点（トランス７の一次側入力電圧）の電圧変化に対するツェナーダイオード９１のオンオフ状態を示している。すなわち、入力電源電圧がＡＣ１００Ｖの場合、電源プラグ投入の段階では、Ｑ点の電圧は１４０Ｖ（１００Ｖ×１．４）であり、その時のツェナーダイオード９１はオン状態である。続いて、ソフトＯＮスイッチ１１ａをオンすると、Ｑ点の電圧は３８０Ｖに上昇し、この時もツェナーダイオード９１はオン状態である。電源プラグが抜かれたりする等停電状態が発生すると、Ｑ点の電圧は低下していき、最終的に０Ｖになる。この変化時においてＱ点の電圧が１４０Ｖ以下になった時にツェナーダイオード９１はオンからオフに以降し、ＰｏｗｅｒＧｏｏｄ信号が立ち下がる。
【００４３】
一方、入力電源電圧がＡＣ２４０Ｖの場合は、電源プラグ投入段階でＱ点の電圧が３３６Ｖとなり、ソフトＯＮスイッチ１１ａがオンするとＱ点の電圧が３８０Ｖとなる。この両方の時においてツェナーダイオード９１はオン状態を維持し、停電状態になって、Ｑ点の電圧が１４０Ｖ以下になるとツェナーダイオード９１がオン状態からオフ状態に移行してＰｏｗｅｒＧｏｏｄ信号が立ち下がる。ツェナーダイオード９１のツェナー電圧及び抵抗９２等の定数は、上記の条件が満足されるよう適当な値に設定される。
【００４４】
以上のように、本実施形態のプロジェクター用電源回路においては、電源プラグが挿入されて昇圧回路が動作していない状態の時にも、ＰｏｗｅｒＧｏｏｄ信号がオンして待機状態となり、また、電源プラグが抜かれる等停電状態になった時には、直ちにＰｏｗｅｒＧｏｏｄ信号がオフし、制御回路１０が電源回路内の平滑コンデンサの蓄積電荷によって終了処理を行うことができる。また、入力電源電圧がＡＣ１００Ｖ〜ＡＣ２４０Ｖの広い範囲に渡って選択される場合でも、上記のようにＰｏｗｅｒＧｏｏｄ信号が正しくオンオフされる。
【図面の簡単な説明】
【００４５】
【図１】この発明の実施形態である電源回路を含むプロジェクター装置の概略構成図を示している。
【図２】ＰｏｗｅｒＧｏｏｄ信号生成回路を含む電源回路の要部回路図である。
【図３】ＡＣ１００Ｖ〜２４０Ｖの範囲で入力電源電圧が選択される場合のＰｏｗｅｒＧｏｏｄ信号生成回路の動作を説明するための図である。
【符号の説明】
【００４６】
５−昇圧回路
７−トランス
９−ＰｏｗｅｒＧｏｏｄ信号生成回路
９１−ツェナーダイオード
９３−トランジスタ（スイッチ素子）
９４、９５−時定数回路
【図１】
2007068351.tif 000003
【図２】
2007068351.tif 000004
【図３】
2007068351.tif 000005